(57)【要約】【課題】ジュース等が表面にかかって汚れても掃除が簡単で、しかも洗浄も簡単で、再使用も容易なコースターを提供する。【解決手段】厚みが１〜１２ｍｍの発泡性ゴムシート１１の表面に合成樹脂製の布シート１２が貼着され、更に布シート１２の表面には広告欄１４〜１６が設けられている。そして、布シート１２は、例えば、ポリエステル又はナイロン製のジャージであり、発泡性ゴムシート１１の材料は、例えば、クロロプレンゴム又はニトリルゴムからなっている。【選択図】図１
0003153258.tif 000002
【実用新案登録請求の範囲】
【請求項１】
厚みが１〜１２ｍｍの発泡性ゴムシートの表面に合成樹脂製の布シートが貼着され、更に前記布シートの表面には広告欄が設けられていることを特徴とするコースター。
【請求項２】
請求項１記載のコースターにおいて、前記布シートはジャージであることを特徴とするコースター。
【請求項３】
請求項２記載のコースターにおいて、前記ジャージはポリエステル製又はナイロン製であることを特徴とするコースター。
【請求項４】
請求項１〜３のいずれか１記載のコースターにおいて、前記発泡性ゴムシートの厚みは、２〜５ｍｍであることを特徴とするコースター。
【請求項５】
請求項１〜４のいずれか１記載のコースターにおいて、前記発泡性ゴムシートの材料は、クロロプレンゴム、ニトリルゴム、エチレン−プロピレンゴム、ブチルゴム、アクリルゴム、及びクロロスルホン化ポリエチレンゴムのいずれか１であることを特徴とするコースター。
【請求項６】
請求項１〜５のいずれか１記載のコースターにおいて、前記発泡性ゴムシートは、平面視して直径が６〜１３ｃｍの円形となっていることを特徴とするコースター。
【請求項７】
請求項１〜５のいずれか１記載のコースターにおいて、前記発泡性ゴムシートは、平面視して一辺の長さが６〜１３ｃｍの角部を丸くした正方形となっていることを特徴とするコースター。
【請求項８】
請求項１〜７のいずれか１記載のコースターにおいて、前記広告欄には、広告主の名前、広告主の電話番号、及び広告主のウェブサイトのアドレスのいずれか１又は２以上が記載されていることを特徴とするコースター。
【請求項９】
請求項１〜８のいずれか１記載のコースターにおいて、前記広告欄は、前記布シート表面の周縁近傍部に設けられていることを特徴とするコースター。
【考案の詳細な説明】
【技術分野】
【０００１】
本考案はコップ等を受けるコースター（コップ敷き）に関する。
【背景技術】
【０００２】
従来、例えば特許文献１に記載のように、吸水性や吸湿性に優れた布地の裏面に防水性プラスチック薄膜を接合してなるコースターや、特許文献２に記載のように、厚みが３００〜２０００μｍの樹脂シートを含有する支持体の上に複層合成紙を貼り合わせ、更にその上にドット状突起物を設け、再使用が可能でコップをコースターから離れやすくしたコースターが提案されていた。
【先行技術文献】
【特許文献】
【０００３】
【特許文献１】実用新案登録第３０７９６９８号公報
【特許文献２】特開平１０−５２３５３号公報
【考案の概要】
【考案が解決しようとする課題】
【０００４】
しかしながら、特許文献１に記載のコースターは吸水性や吸湿性に優れた布地を使用しているので、コップの水をその上に零すとその後は布地が乾燥するまで使用できず、特にジュース等を零した場合は、汚れて直ちに再使用できないという問題があった。
また、特許文献２記載のコースターは、吸湿性はないが、複層合成紙が三重となっているので、製造に手間がかかり、更に、その上にドット状突起物があるので、表面に汚れが付着し易く、しかも掃除も布巾等で拭いただけでは汚れを完全に取ることができず、ブラシ洗浄を必要としていた。
【０００５】
本考案は、かかる事情に鑑みてなされたもので、ジュース等が表面にかかって汚れても掃除が簡単で、しかも洗浄も簡単で、再使用も容易なコースターを提供することを目的とする。
【課題を解決するための手段】
【０００６】
前記目的に沿う第１の考案に係るコースターは、厚みが１〜１２ｍｍの発泡性ゴムシートの表面に合成樹脂製の布シートが貼着され、更に前記布シートの表面には広告欄が設けられている。
【０００７】
第２の考案に係るコースターは、第１の考案に係るコースターにおいて、前記布シートはジャージである。
【０００８】
第３の考案に係るコースターは、第２の考案に係るコースターにおいて、前記ジャージはポリエステル製又はナイロン製である。
【０００９】
第４の考案に係るコースターは、第１〜第３の考案に係るコースターにおいて、前記発泡性ゴムシートの厚みは、２〜５ｍｍである。
【００１０】
第５の考案に係るコースターは、第１〜第４の考案に係るコースターにおいて、前記発泡性ゴムシートの材料は、クロロプレンゴム、ニトリルゴム、エチレン−プロピレンゴム、ブチルゴム、アクリルゴム、及びクロロスルホン化ポリエチレンゴムのいずれか１である。
【００１１】
第６の考案に係るコースターは、第１〜第５の考案に係るコースターにおいて、前記発泡性ゴムシートは、平面視して直径が６〜１３ｃｍの円形となっている
【００１２】
第７の考案に係るコースターは、第１〜第５の考案に係るコースターにおいて、前記発泡性ゴムシートは、平面視して一辺の長さが６〜１３ｃｍの４つの角部を丸くした正方形となっている。
【００１３】
第８の考案に係るコースターは、第１〜第７の考案に係るコースターにおいて、前記広告欄には、広告主の名前、広告主の電話番号、及び広告主のウェブサイトのアドレスのいずれか１又は２以上が記載されている。
【００１４】
そして、第９の考案に係るコースターは、第１〜第８の考案に係るコースターにおいて、前記広告欄は、前記布シート表面の周縁近傍部に設けられている。
【００１５】
そして、第１〜第９の考案に係るコースターにおいて、前記発泡性ゴムシートの裏面にも広告欄が設けられていてもよい。
【考案の効果】
【００１６】
本考案に係るコースターは、厚みが１〜１２ｍｍの発泡性ゴムシートの表面に合成樹脂製の布シートが貼着されているので、布シート上に零れた水等が付着しても簡単に拭い取ることができる。更に、コップ等を載せても、布シートの下には発泡性ゴムシートを有するので、クッション性を有して、衝撃等を吸収できる。
【００１７】
そして、布シートの上には、広告欄が設けられているので、この部分に例えば、広告主の名前、広告主の電話番号、広告主のウェブサイトのアドレス等を記載することができ、これによって宣伝効果が高まり、贈答品等としても使用できる。
【００１８】
特に、布シートをポリエステル又はナイロン製のジャージとした場合、汚れの吸収もなく、更にクッション性も向上する。
また、広告欄を布シートの表面の周縁近傍部に設けた場合には、コップを置いた状態でも広告欄が見えるので、より視認性が増す。
【図面の簡単な説明】
【００１９】
【図１】（Ａ）は本考案の第１の実施の形態に係るコースターの平面図、（Ｂ）は同コースターの正面図である。
【図２】（Ａ）は本考案の第２の実施の形態に係るコースターの平面図、（Ｂ）は同コースターの正面図である。
【考案を実施するための形態】
【００２０】
図１（Ａ）、（Ｂ）に示すように、本考案の第１の実施の形態に係るコースター１０は、厚みａが１〜１２ｍｍ（より好ましくは、２〜５ｍｍ）の発泡性ゴムシート１１の表面に布シート１２が貼着され、更に布シート１２の表面には広告欄１４〜１６が設けられている。以下、これらについて詳しく説明する。
【００２１】
発泡性ゴムシート１１は、発泡率が５０〜２５０％の黒（その他の色に着色することも可能）に着色されたクロロプレンゴムからなって、平面視して直径ｄが６〜１３ｃｍの円形となっている。なお、発泡性ゴムシート１１の発泡は独立気泡発泡としている。
【００２２】
なお、クロロプレンゴムの代わりに、ニトリルゴム、エチレン−プロピレンゴム、ブチルゴム、アクリルゴム、クロロスルホン化ポリエチレンゴムを使用することもできる。
このコースター１０においては、使用する場合に、発泡性ゴムシート１１の裏面がテーブルの上に直接載ることになるので、テーブル面との間の密着性がよく、コースター１０がテーブルの上を滑ることがない。
【００２３】
また、表面には布シート１２が設けられているので、仮に水に濡れてもコップが布シート１２上を滑ることがない。更に、表面の布シート１２は合成樹脂製のシートとなっているので、コップとの密着性は悪くコップを持ち上げた時に、コースター１０がコップに付着して上がることはない。
【００２４】
布シート１２は、ポリエステル製又はナイロン製の糸を編むことで伸縮性を持たせた布（ジャージ又はメリヤス等）シートからなって、表面は、例えば茶色、赤色、黄色、白色、緑色、青色、橙色等に着色されている。布シート１２の厚みは０．１〜１ｍｍ程度となって、発泡性ゴムシート１１とは熱接合されている（場合によっては接着剤を用いて接合してもよい）。
【００２５】
布シート１２の周縁近傍部に形成されている広告欄１４〜１６は、それぞれ広告主の名前、広告主の電話番号、広告主のホームページ（ウェブサイト）のアドレスが記載されている。ここで、周縁近傍部とは、周縁端から例えば、２〜１０ｍｍの領域をいい、コースター１０の中央にコップを置いても、周囲から十分に見える領域である（以下の実施の形態においても同じ）。
【００２６】
広告欄記載１４〜１６は、布シート１２の上にインクを用いて印刷してもよいし、絵の具で書いてもよく、場合によっては、別の糸を用いて刺繍等で作成してもよい。広告欄１４〜１６に記載した文字は布シート１２の表面から僅少の範囲（例えば、０．０２〜０．１ｍｍ）で突出させておいてもよい。
【００２７】
続いて、図２（Ａ）、（Ｂ）を参照しながら、本考案の第２の実施の形態に係るコースター２２について説明する。このコースター２２は、図２（Ａ）、（Ｂ）に示すように、厚みｃが１〜１２ｍｍ（より好ましくは、２〜５ｍｍ）の発泡性ゴムシート２３の表面に布シート２４が貼着され、更に布シート２４の表面には広告欄２５〜２７が設けられている。以下、これらについて詳しく説明する。なお、発泡性ゴムシート２３及び布シート２４の材質、及びこれが果たす作用効果については、第１の実施の形態に係るコースター１０と同じであるので、省略する。
【００２８】
発泡性ゴムシート２３及び布シート２４は、平面視して一辺の長さｂが６〜１３ｃｍの正方形で、４つの角部に円弧状にアール２８〜３１が形成されている。アール２８〜３１の半径は、０．５〜３ｃｍ程度となっている。
【００２９】
布シート２４の周縁近傍部に形成されている広告欄２５〜２７は、それぞれ広告主の名前、広告主の電話番号、広告主のホームページ（ウェブサイト）のアドレスが記載されている。なお、この実施の形態においては、広告欄２５〜２７は正方形の３辺近傍に設けられているが、４辺の近傍、場合によっては、布シート２４の中央部分に絵等を記載することもできる。
【００３０】
広告欄２５〜２７は、布シート２４の上にインクを用いて印刷してもよいし、絵の具で書いてもよく、場合によっては、別の糸を用いて刺繍等で作成してもよい。また、記載した文字は布シート２４の表面から僅少の範囲（例えば、０．０２〜０．１ｍｍ）で突出させておいてもよい。
【００３１】
本考案は前記した実施の形態に限定されるものではなく、本考案の要旨を変更しない範囲での形状変更（例えば、円形、楕円系、その他特殊な形状）、寸法変更は可能である。
また、発泡性ゴムシートと布シートが一体となった既成の潜水服（ウェットスーツ）の素材を所定寸法に切断して、コースターとすることもできる。
【符号の説明】
【００３２】
１０：コースター、１１：発泡性ゴムシート、１２：布シート、１４〜１６：広告欄、２２：コースター、２３：発泡性ゴムシート、２４：布シート、２５〜２７：広告欄、２８〜３１：アール
【図１】
0003153258.tif 000003
【図２】
0003153258.tif 000004